【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  式Ｉで表される液晶化合物：
【化１】
2003183193.tif 000001
式中、Ｘ１は、Ｆ、Ｃｌ、ＣＨＦ２、ＣＦ３、ＯＣＨＦ２またはＯＣＦ３であり、そして
Ｒ１は、１〜２０個のＣ原子を有するアルキルである。
【請求項２】  Ｘ１が、ＯＣＨＦ２またはＯＣＦ３である、請求項１に記載の液晶化合物。
【請求項３】  正の誘電異方性を有する極性化合物の混合物をベースとする液晶媒体であって、式Ｉ：
【化２】
2003183193.tif 000002
式中、Ｘ１は、Ｆ、Ｃｌ、ＣＨＦ２、ＣＦ３、ＯＣＨＦ２またはＯＣＦ３であり、そして
Ｒ１は、１〜２０個のＣ原子を有するアルキルである、
で表される１種または２種以上の化合物を含有することを特徴とする、前記液晶媒体。
【請求項４】  Ｘ１が、ＯＣＨＦ２またはＯＣＦ３である、請求項３に記載の媒体。
【請求項５】  光学異方性として、Δｎ≧０．１６を有することを特徴とする、請求項３または４に記載の媒体。
【請求項６】  式ＩＩａ：
【化３】
2003183193.tif 000003
式中、Ｒ０は、Ｃ原子を９個まで有するアルキル、アルコキシ、フルオロアルキル、アルケニルまたはオキサアルケニルであり、そして
Ｘ０は、Ｆ、Ｃｌ、ＣＦ３、ＯＣＦ３、ＯＣＨＦ２、Ｃ原子を７個まで有するフルオロアルキルまたはフルオロアルコキシである、
で表される１種または２種以上の化合物をさらに含むことを特徴とする、請求項３〜５のいずれかに記載の媒体。
【請求項７】  式ＩＩｂ：
【化４】
2003183193.tif 000004
式中、Ｒ０は、Ｃ原子を９個まで有するアルキル、アルコキシ、フルオロアルキル、アルケニルまたはオキサアルケニルであり、
Ｘ０は、Ｆ、Ｃｌ、ＣＦ３、ＯＣＦ３、ＯＣＨＦ２、Ｃ原子を７個まで有するフルオロアルキルまたはフルオロアルコキシであり、そして
Ｙ１およびＹ２は、各々相互に独立してＨまたはＦである、
で表される１種または２種以上の化合物をさらに含むことを特徴とする、請求項３〜６のいずれかに記載の媒体。
【請求項８】  式ＩＶ：
【化５】
2003183193.tif 000005
式中、Ｒ０は、Ｃ原子を９個まで有するアルキル、アルコキシ、フルオロアルキル、アルケニルまたはオキサアルケニルであり、
Ｚ１は、ＣＦ２Ｏ、Ｃ２Ｆ４または単結合であり、
Ｘ０は、Ｆ、Ｃｌ、ＣＦ３、ＯＣＦ３、ＯＣＨＦ２、Ｃ原子を７個まで有するフルオロアルキルまたはフルオロアルコキシであり、
Ｙ１  〜Ｙ４は、相互に独立してＨまたはＦであり、そして
ｒは、０または１である、
で表される１種または２種以上の化合物をさらに含むことを特徴とする、請求項３〜７のいずれかに記載の媒体。
【請求項９】  式ＩＩＩ、ＩＸ、ＸＶＩＩおよび／またはＸＸＩＩＩ：
【化６】
2003183193.tif 000006
Ｒ０、Ｒ３およびＲ４は、Ｃ原子を９個まで有するアルキル、アルコキシ、フルオロアルキル、アルケニルまたはオキサアルケニルであり、
Ｘ０は、Ｆ、Ｃｌ、ＣＦ３、ＯＣＦ３、ＯＣＨＦ２、Ｃ原子を７個まで有するフルオロアルキルまたはフルオロアルコキシであり、そして
Ｙ１〜Ｙ３は、相互に独立してＨまたはＦであり、そして
ｒは、０または１である、
で表される１種または２種以上の化合物をさらに含むことを特徴とする、請求項３〜８のいずれかに記載の媒体。
【請求項１０】  １種または２種以上の式Ｉの化合物を、３〜２０重量％含むことを特徴とする、請求項３〜９のいずれかに記載の媒体。
【請求項１１】  １種または２種以上の式ＩＩａの化合物を、１０〜４０重量％含むことを特徴とする、請求項６〜１０のいずれかに記載の媒体。
【請求項１２】  １種または２種以上の式ＩＩｂの化合物を、５〜３０重量％含むことを特徴とする、請求項７〜１１のいずれかに記載の媒体。
【請求項１３】  コレステリック液晶媒体であって、ネマチック成分として請求項３〜１２の何れかに記載の液晶媒体を含み、光学活性な成分として１種または２種以上のキラルドーパントを含むことを特徴とする、前記コレステリック液晶媒体。
【請求項１４】  請求項３〜１３のいずれかに記載の媒体の、電気光学的液晶媒体における使用。
【請求項１５】  電気光学的液晶ディスプレイであって、請求項３〜１３のいずれかに記載の媒体を含有することを特徴とする、前記電気光学的液晶ディスプレイ。
【請求項１６】  請求項１５に記載の電気光学的液晶ディスプレイであって、アクティブマトリックスであることを特徴とする、前記電気光学的液晶ディスプレイ。  
【請求項１７】  請求項１５または１６に記載の電気光学的液晶ディスプレイであって、反射型ディスプレイであることを特徴とする、前記電気光学的液晶ディスプレイ。
【請求項１８】  請求項１５〜１７のいずれかに記載の電気光学的液晶ディスプレイであって、照射型、ＬＣｏＳ（登録商標）またはＯＣＢモードのディスプレイであることを特徴とする、前記電気光学的液晶ディスプレイ。  
【請求項１９】  請求項１３に記載のコレステリック液晶媒体を含む、コレステリック液晶ディスプレイ。  
【請求項２０】  ＳＳＣＴディスプレイまたはＰＳＣＴディスプレイである、請求項１９に記載のコレステリック液晶ディスプレイ。
【手続補正２】
【補正対象書類名】明細書
【補正対象項目名】００１１
【補正方法】変更
【補正の内容】
【００１１】
ＴＦＴマトリックスは、前記ディスプレイの１枚のガラス板の内側に施され、一方他方のガラス板の内側は、透明な対向電極を担持している。画素電極の大きさと比較すると、ＴＦＴは極めて小さく、像に対する有害な効果は実質的に有さない。この技術は、全色コンパティブル画像ディスプレイにまで発展させることもでき、各フィルター素子が切り換え可能な画素に対して反対に位置するように、モザイク状の赤色、緑色および青色フィルターが配列される。
【手続補正３】
【補正対象書類名】明細書
【補正対象項目名】００１５
【補正方法】変更
【補正の内容】
【００１５】
比抵抗値の減少に伴って、ＭＬＣディスプレイのコントラストは悪化する。液晶混合物の比抵抗値は、一般的に、ＭＬＣディスプレイの内部表面との相互作用によって、ＭＬＣディスプレイの寿命全体を通じて減少するため、長い動作期間にわたり許容される抵抗値を有さなければならないディスプレイについて、高い（初期）抵抗値は極めて重要である。さらに、ＭＬＣディスプレイ、特に野外使用向けのものは、太陽光によるＵＶ照射に曝露されるが、かかる状況は照射型ディスプレイおよびＬＣｏＳ（登録商標）におけるバックライトの影響と同様なものである。液晶媒体の化合物、特にトラン誘導体は、高い光学異方性を達成するために用いられるが、強いＵＶ照射の下において分解するおそれがあり、このこともまた媒体の比抵抗値の低下につながる。
【手続補正４】
【補正対象書類名】明細書
【補正対象項目名】００１７
【補正方法】変更
【補正の内容】
【００１７】
【非特許文献１】ピー・ボスら（P. Bos et al.）, "SID 83 Digest", p.30, １９８３年 。
【非特許文献２】ワイ・ヤマグチ、ティー・ミヤシタおよびティー・ウチダ（Y. Yamaguchi, T. Miyashita and T. Uchida）, "SID 93 Digest", p.277, １９９３年 。
【非特許文献３】ティー・ミヤシタら（T. Miyashita et al.）, "Proc. Eurodisplay", p.149 , １９９３年 。
【非特許文献４】ティー・ミヤシタら（T. Miyashita et al.）, "Journal of Applied Physics" p.34, L177, １９９５年 。
【非特許文献５】ティー・ミヤシタら（T. Miyashita et al.）, "SID 95 Digest", p.797, １９９５年 。
【非特許文献６】シー・エル・クオら（C.-L. Kuo et al.）, "SID 94 Digest", p.927, １９９４年 。
【非特許文献７】ティー・ウチダ、ティー・イシナベおよびエム・スズキ（T. Uchida, T. Ishinabe and M. Suzuki）, "SID 96 Digest", p.618, １９９６年 。
【非特許文献８】トガシ・エス、セキグチ・ケイ、タナベ・エイチ、ヤマモト・イー、ソリマチ・ケイ、タジマ・イー、ワタナベ・エイチ、シミズ・エイチ（TOGASHI, S., SEKIGUCHI, K., TANABE, H., YAMAMOTO, E., SORIMACHI, K., TAJIMA, E., WATANABE, H., SHIMIZU, H.）, "Proc. Eurodisplay 84", １９８４年９月: A210-288, ダブルステージダイオードリングによって調節されるマトリックスＬＣＤ（Matrix LCD Controlled by Double Stage Diode Rings）, p.141以降、Paris。
【非特許文献９】ストロマー・エム（STROMER, M.）, "Proc. Eurodisplay 84", １９８４年９月: テレビジョン液晶ディスプレイのマトリックスアドレシングのための薄膜トランジスタのデザイン（Design of Thin Film Transistors for Matrix Addressing of Television Liquid Crystal Displays）, p.145以降、Paris。
【手続補正５】
【補正対象書類名】明細書
【補正対象項目名】００１８
【補正方法】変更
【補正の内容】
【００１８】
【発明が解決しようとする課題】
本発明は、第一の目的として、高極性化合物であって、高い光学異方性、極めて高い透明点およびＵＶ安定性を示し、したがってＭＬＣディスプレイにおける液晶媒体の成分として特に好適な化合物を提供することを有する。
本発明の第二の目的は、上記欠点を少なくとも部分的に克服し、同時に、高い光学異方性および誘電異方性、高い透明点ならびに良好なＵＶ安定性を有する液晶媒体にある。
【手続補正６】
【補正対象書類名】明細書
【補正対象項目名】００２６
【補正方法】変更
【補正の内容】
【００２６】
DE 199 19 348 A1、EP 0 439 089 A1およびWO 01/12751によって、一般式Ｉ＊：
【化８】
2003183193.tif 000007
式中、ＲはＨ、１〜１５個のＣ原子を有するアルキル基またはアルケニル基であり、それは置換されていてもよく、かつ１または２以上のＣＨ２基は、種々の基によって置換されていてもよく、ＬはＨまたはＦであり、そしてＹはＦ、Ｃｌ、ハロゲン化アルキル、アルケニル、アルケニルオキシ、アルコキシアルキルまたはアルコキシである、が知られ、この式Ｉ＊の化合物は、液晶混合物の共成分（ｃｏ−ｃｏｍｐｏｎｅｎｔ）として推奨されている。しかし、本発明による式Ｉの化合物は開示されていない。
【手続補正７】
【補正対象書類名】明細書
【補正対象項目名】００３８
【補正方法】変更
【補正の内容】
【００３８】
式中、Ｒ０は、Ｃ原子を９個まで有するアルキル、アルコキシ、フルオロアルキル、アルケニルまたはオキサアルキルであり、
Ｚ１は、ＣＦ２Ｏ、Ｃ２Ｆ４または単結合であり、
Ｚ２は、ＣＦ２Ｏ、Ｃ２Ｆ４またはＣ２Ｈ４であり、
Ｘ０は、Ｆ、Ｃｌ、ＣＦ３、ＯＣＦ３、ＯＣＨＦ２、Ｃ原子を７個まで有するフルオロアルキルまたはフルオロアルコキシであり、
Ｙ１〜Ｙ４は、相互に独立してＨまたはＦであり、そして
ｒは、０または１である。
【手続補正８】
【補正対象書類名】明細書
【補正対象項目名】００３９
【補正方法】変更
【補正の内容】
【００３９】
式ＩＩＩの化合物は、好ましくは下記式から選択される：
【化１６】
2003183193.tif 000008
式中、Ｒ０、Ｘ０、Ｙ１およびＹ２は上記の意味を有し、Ｒ０は好ましくは１〜８個のＣ原子を有するｎ−アルキルまたは２〜７個のＣ原子を有するアルケニルであり、そしてＸ０は好ましくはＦ、Ｃｌ、ＣＦ３、ＯＣＦ３またはＯＣＨＦ２であり、特にＦまたはＯＣＦ３である。
【手続補正９】
【補正対象書類名】明細書
【補正対象項目名】００９１
【補正方法】変更
【補正の内容】
【００９１】
１．２    ３−フルオロ−４'−（トランス−４−プロピルシクロヘキシル）−ビフェニル（５）の合成
【化４７】
2003183193.tif 000009